(57)【要約】【課題】簡単な構成によって遊技球の払い出しタイミングを変えることができる弾球遊技機を提供する。【解決手段】遊技盤４の背面側に設けられた払出装置２１から払い出された遊技球が払出通路２２を通って払出口９まで誘導される弾球遊技機において、払出通路２２に互いの全長を異にするメイン通路２３とバイパス通路２４を設けると共に、メイン通路２３とバイパス通路２４の分岐部に制御弁２５を配設する。そして、遊技球が始動口１３，１４に入賞したことを契機に行われる抽選手段２８の抽選結果に応じて制御弁２５を切替動作し、抽選結果が大当たりの場合は遊技球（賞球）を全長の長い方のバイパス通路２４を経由して払出口９まで導き、抽選結果がハズレの場合は遊技球を全長の短い方のメイン通路２３を経由して払出口９まで導くようにした。【選択図】図３
2010022528.tif 000002
【特許請求の範囲】
【請求項１】
遊技盤の背面側に設けられた払出装置と、前記遊技盤の前面側に設けられた払出口とを備え、前記払出装置から払い出された遊技球が払出通路を通って前記払出口まで誘導される弾球遊技機において、
前記払出通路に互いの全長を異にするメイン通路とバイパス通路を設けると共に、これらメイン通路とバイパス通路の分岐部に制御弁を設け、
始動口への入球を契機に行われる抽選手段の抽選結果に基づいて前記制御弁を切替動作することにより、前記払出装置から払い出された遊技球が前記メイン通路と前記バイパス通路のいずれか一方を通って前記払出口まで誘導されるようにしたことを特徴とする弾球遊技機。
【請求項２】
遊技盤の遊技領域に配設された始動口と、この始動口に入賞した遊技球を前記遊技盤の裏面側へ導く排出通路と、前記遊技盤の背面側に設けられた払出装置と、前記遊技盤の前面側に設けられた払出口とを備え、遊技領域を流下する遊技球が前記始動口に入賞したとき、抽選手段による当たり判定の抽選動作が行われると共に、前記払出装置から前記払出口に対して所定数の遊技球が払い出される弾球遊技機において、
前記排出通路に前記抽選手段を動作させる上流側検知センサと前記払出装置を動作させる下流側検知センサとを配置し、これら上流側検知センサと下流側検知センサとの間に互いの全長を異にするメイン通路とバイパス通路を設けると共に、これらメイン通路とバイパス通路の分岐部に制御弁を設け、
前記抽選手段の抽選結果に基づいて前記制御弁を切替動作することにより、前記始動口に入賞した遊技球が前記メイン通路と前記バイパス通路のいずれか一方を通って前記下流側検知センサまで誘導されるようにしたことを特徴とする弾球遊技機。
【発明の詳細な説明】
【技術分野】
【０００１】
本発明は、パチンコ店などの遊技場に設置して使用される弾球遊技機に関する。
【背景技術】
【０００２】
パチンコ機に代表される弾球遊技機の中には、遊技球が始動口へ入賞したことを契機に特別図柄抽選を行い、その抽選結果が当たりになると、「通常モード」から「当たりモード」へ移行して多数の賞球を獲得する機会を与えるようにした機種が知られている。この種の弾球遊技機では、遊技盤の背面側上部にモータ等を駆動源とする払出装置が設けられており、この払出装置は、始動口や大入賞口に遊技球が入賞することによって作動され、その入賞に応じた所定数の遊技球を賞球として払い出すようになっている。払出装置から払い出された遊技球は、遊技盤の背面側に設けられた払出通路を経由して払出口まで誘導され、この払出口から遊技盤の前面側下部に設けられた受け皿へ払い出される（特許文献１参照）。
【特許文献１】特開２００８−３５８９８号公報
【発明の開示】
【発明が解決しようとする課題】
【０００３】
しかしながら、前述した従来の弾球遊技機においては、払出装置は遊技球を払い出すために専ら用いられているため、払出装置から払い出された遊技球を特別図柄抽選等の遊技演出に関与させることはできなかった。すなわち、従来の弾球遊技機では、始動口に連設された排出通路内の検知センサが遊技球の入賞を検知すると、その検知信号に基づいて払出装置が作動開始して所定数の遊技球（賞球）を払い出すようになっているため、始動口への入賞後に賞球が払い出されるタイミングは特別図柄抽選の抽選結果に拘わらず常に一定となる。
【０００４】
本発明は、このような従来技術の実情に鑑みてなされたもので、その目的は、簡単な構成によって遊技球の払い出しタイミングを変えることができる弾球遊技機を提供することにある。
【課題を解決するための手段】
【０００５】
上記の目的を達成するための一手段として、本発明は、遊技盤の背面側に設けられた払出装置と、前記遊技盤の前面側に設けられた払出口とを備え、前記払出装置から払い出された遊技球が払出通路を通って前記払出口まで誘導される弾球遊技機において、前記払出通路に互いの全長を異にするメイン通路とバイパス通路を設けると共に、これらメイン通路とバイパス通路の分岐部に制御弁を設け、始動口への入球を契機に行われる抽選手段の抽選結果に基づいて前記制御弁を切替動作することにより、前記払出装置から払い出された遊技球が前記メイン通路と前記バイパス通路のいずれか一方を通って前記払出口まで誘導されるように構成した。
【０００６】
このように構成された弾球遊技機では、抽選手段の抽選結果に基づいて制御弁を切替動作すると、払出装置から払い出された遊技球が全長を異にするメイン通路とバイパス通路のいずれか一方に振り分けられるため、抽選手段の抽選結果に応じて遊技球の払い出しタイミングを変えることができ、かかる遊技球の払い出しタイミングによって大当たり等の告知を行うことができる。
【０００７】
また、上記の目的を達成するための他の手段として、本発明は、遊技盤の遊技領域に配設された始動口と、この始動口に入賞した遊技球を前記遊技盤の裏面側へ導く排出通路と、前記遊技盤の背面側に設けられた払出装置と、前記遊技盤の前面側に設けられた払出口とを備え、遊技領域を流下する遊技球が前記始動口に入賞したとき、抽選手段による当たり判定の抽選動作が行われると共に、前記払出装置から前記払出口に対して所定数の遊技球が払い出される弾球遊技機において、前記排出通路に前記抽選手段を動作させる上流側検知センサと前記払出装置を動作させる下流側検知センサとを配置し、これら上流側検知センサと下流側検知センサとの間に互いの全長を異にするメイン通路とバイパス通路を設けると共に、これらメイン通路とバイパス通路の分岐部に制御弁を設け、前記抽選手段の抽選結果に基づいて前記制御弁を切替動作することにより、前記始動口に入賞した遊技球が前記メイン通路と前記バイパス通路のいずれか一方を通って前記下流側検知センサまで誘導されるように構成した。
【０００８】
このように構成された弾球遊技機では、抽選手段の抽選結果に基づいて制御弁を切替動作すると、始動口に入賞した遊技球が全長の異なるメイン通路とバイパス通路のいずれか一方を通って下流側検知センサまで誘導されるため、抽選手段の抽選結果に応じて払出装置の動作タイミングを変えて遊技球の払い出しに時間差を持たせることができ、かかる遊技球の払い出しタイミングによって大当たり等の告知を行うことができる。
【発明の効果】
【０００９】
本発明の弾球遊技機によれば、全長の異なるメイン通路とバイパス通路の分岐部に設けた制御弁を切替動作するだけで、抽選手段の抽選結果に応じて遊技球の払い出しタイミングを変えることができるため、遊技球の払い出しタイミングによって大当たり等の告知を行うことができる。
【発明を実施するための最良の形態】
【００１０】
発明の実施の形態について図面を参照して説明すると、図１は本発明の第１実施形態例に係る弾球遊技機の外観を示す斜視図、図２は該弾球遊技機の背面側の外観を示す斜視図、図３は該弾球遊技機に設けられた払出通路の構成図、図４該弾球遊技機に備えられる払出制御装置のブロック図、図５は該払出制御装置の制御内容を示すフローチャートである。
【００１１】
図１に示すように、本実施形態例に係る弾球遊技機１は、遊技場の島設備に配置される機枠２と、機枠２に扉状に開閉自在に取り付けられた前面枠３と、前面枠３に収納保持された遊技盤４と、前面枠３の前面に扉状に開閉自在に取り付けられたガラス枠５と、前面枠３の下方に配設された前面ボード６と、前面ボード６に取り付けられた発射ハンドル７等を具備しており、前面ボード６には受け皿８と払出口９が設けられている。
【００１２】
遊技盤４の盤面はガイドレール１０等で囲まれた遊技領域１１となっており、発射ハンドル７が遊技者によって任意角度に回転操作されると、図示せぬ発射装置が受け皿８に貯留された遊技球を遊技領域１１に向けて連続的に打ち出すようになっている。遊技領域１１の上部中央付近には液晶パネル（ＬＣＤ）からなる特別図柄表示装置１２が配設されており、この特別図柄表示装置１２の真下位置には一対の始動口１３，１４が配設されている。上側の始動口１３は上面に入賞孔を有する始動口であるが、下側の始動口１４は一対の可動片を有する電動チューリップ構造の始動口となっている。そして、両始動口１３，１４のいずれか一方に遊技球が入賞すると、それを契機として後述する抽選手段によって特別図柄表示の抽選が行われ、特別図柄表示装置１２上で図柄の変動表示と停止表示が行われる。また、特別図柄表示装置１２の左右両側には通過チャッカー１５が配設されており、これら通過チャッカー１５を遊技球が通過したことを契機に普通図柄表示の抽選が行われ、その抽選結果が当たりの場合に下側の始動口１４の可動片を一時的に開放して遊技球の入球を許可するようになっている。
【００１３】
始動口１３，１４の下方位置にはアタッカーと呼ばれる大入賞口１６が配設されており、この大入賞口１６は前記抽選手段による特別図柄表示の抽選結果に基づいて開閉動作される。具体的には、特別図柄表示の抽選結果が大当たりの場合、特別図柄表示装置１２で図柄の変動表示を例えば「７７７」のように特定図柄で停止させると共に、大入賞口１６が複数回繰り返して開放動作する。大入賞口１６は１回の開放動作について例えば３０秒経過するまで、あるいは遊技球が例えば１０個入賞するまで開放状態を維持し、かかる開放動作を例えば１５回繰り返した後に大当たりが終了する。その他、遊技領域１１には遊技球の払い出しのみを行う複数の一般入賞口１７が配設されており、いずれの始動口１３，１４や大入賞口１６や一般入賞口１７にも入賞しなかった遊技球は、遊技領域１１の最下端部に設けられたアウト口１８から遊技盤４の裏面側に排出されるようになっている。なお、これら始動口１３，１４と大入賞口１６および一般入賞口１７に入賞した遊技球は、それぞれ図示せぬ排出通路を通って遊技盤４の裏面側へ導かれるようになっており、各排出通路の内部には遊技球の入賞を検知する入賞検知センサが配置されている。
【００１４】
図２に示すように、遊技盤４の裏面側の最上部には上面を開口する貯留タンク１９が配設されており、この貯留タンク１９内に遊技場の島設備から供給される遊技球が逐次補充されるようになっている。貯留タンク１９の下方には流下樋２０が配設されており、この流下樋２０は同図の右方へ向かって下るように緩やかに傾斜している。流下樋２０の下流側には払出装置２１が配設されており、貯留タンク１９内の遊技球は流下樋２０の上流側に落下した後、流下樋２０の傾斜に沿って流下して払出装置２１で滞留される。この払出装置２１は外周面に複数の凹部を有するスプロケットによって構成されており、スプロケットを図示せぬモータを駆動源として回転駆動することにより、払出装置２１で滞留させていた遊技球が払出通路２２に対して払い出される。なお、このモータは前述した各入賞検知センサの検知信号に基づいて始動され、遊技球が始動口１３，１４と大入賞口１６および一般入賞口１７のいずれかに入賞すると、排出通路内に配置した前記入賞検知センサの検知信号に基づいてモータが駆動することにより、その入賞に応じた所定個数（例えば３個）の遊技球が払出装置２１から払出通路２２に払い出される。そして、この遊技球は払出通路２２によって前記払出口９まで誘導された後、払出口９から受け皿８内に賞球として払い出される。
【００１５】
図３に示すように、払出通路２２には、遊技盤４の裏面側に沿って上下方向へ真っ直ぐに延びるメイン通路２３と、メイン通路２３から分岐して九十九折り状に折れ曲がるバイパス通路２４とが設けられており、バイパス通路２４の全長はメイン通路２３の全長に対して十分に長く（例えば約２倍に）設定されている。これらメイン通路２３とバイパス通路２４の分岐部には制御弁２５が配設されており、この制御弁２５を図示せぬソレノイドを駆動源として図３の実線位置と破線位置との間で回動することにより、払出装置２１から払い出された遊技球はメイン通路２３とバイパス通路２４のいずれか一方へ導かれる。また、メイン通路２３とバイパス通路２４の合流部よりも下流側の払出通路２２には払出球検知センサ２６が配設されており、メイン通路２３またはバイパス通路２４を通過した遊技球は、この払出球検知センサ２６で検出された後に払出口９まで誘導される。
【００１６】
図４に示すように、制御弁２５は払出制御装置２７から出力される制御信号により、図３に示す実線位置と破線位置のいずれか一方に切替動作される。この払出制御装置２７には払出球検知センサ２６の検知信号と前記抽選手段２８による抽選結果の制御信号とが入力され、払出制御装置２７はこれら払出球検知センサ２６の検知信号と抽選手段２８の制御信号に基づいて、制御弁２５の駆動源であるソレノイドに対して所望の切替信号を出力する。具体的には、抽選手段２８による特別図柄表示の抽選結果が大当たりの場合、払出制御装置２７から制御弁２５に対して切替信号が出力されることにより、制御弁２５が図３の実線位置から破線位置へ回動してバイパス通路２４を開放する。その結果、払出装置２１から払い出された遊技球は全長の長い方のバイパス通路２４へ導かれて払出口９まで至り、その途中で払出球検知センサ２６が遊技球の通過を検知すると、制御装置２７から制御弁２５に対して別の切替信号が出力され、制御弁２５は図３の破線位置から実線位置へと回動復帰する。一方、抽選手段２８による特別図柄表示の抽選結果がハズレの場合、払出制御装置２７から制御弁２５に対して切替信号は出力されず、制御弁２５は図３の実線位置の姿勢を維持する。この場合、メイン通路２３が開放されてバイパス通路２４が閉じられているため、払出装置２１から払い出された遊技球は全長の短い方のメイン通路２３へ導かれて払出口９まで至る。なお、払出装置２１の駆動制御を行う駆動制御装置と制御弁２５の払出制御装置２７は遊技盤４の裏面下部に配設された制御ボックス２９内に収納されており、抽選手段２８による特別図柄表示の抽選等の遊技動作全般を処理するメイン基板は図示せぬ他の制御ボックス内に収納されている。
【００１７】
図５のフローチャートに示すように、本実施形態例に係る弾球遊技機１においては、遊技領域１１を流下する遊技球が両始動口１３，１４のいずれか一方に入賞し（Ｓ−１）、その入賞球が排出通路内の図示せぬ入賞検知センサを通過すると（Ｓ−２）、入賞検知センサの検知信号に基づいて抽選手段２８が特別図柄表示の抽選を実行する（Ｓ−３）。そして抽選手段２８の抽選結果が判定され（Ｓ−４）、抽選手段２８の抽選結果が大当たりの場合は、払出制御装置２７から制御弁２５に対して切替信号が出力されることにより、制御弁２５が図３の実線位置から破線位置へ回動してバイパス通路２４を開放する（Ｓ−５）。これにより、払出装置２１から払い出された所定数の賞球（遊技球）は全長の長い方のバイパス通路２４内を通過し（Ｓ−６）、その賞球が払出球検知センサ２６を通過すると（Ｓ−７）、払出球検知センサ２６の検知信号に基づいて払出制御装置２７から制御弁２５に対して別の切替信号が出力されることにより、制御弁２５が図３の破線位置から実線位置へと回動復帰する（Ｓ−８）。このようにして払出球検知センサ２６を通過した賞球は払出口９まで導かれた後、最終的に払出口９から受け皿８内に払い出される（Ｓ−９）。
【００１８】
一方、Ｓ−４において抽選手段２８の抽選結果がハズレの場合は、払出制御装置２７から制御弁２５に対して切替信号は出力されず、制御弁２５は図３の実線位置の姿勢を維持してメイン通路２３を開放している（Ｓ−１０）。これにより、払出装置２１から払い出された所定数の賞球は、全長が短い方のメイン通路２３を通過（Ｓ−１１）して払出口９まで導かれた後、最終的に払出口９から受け皿８内に払い出される（Ｓ−９）。なお、メイン通路２３を通過した賞球は払出球検知センサ２６によって検出され、その検知信号に基づいて払出制御装置２７から制御弁２５に対して切替信号が出力されるが、この場合、制御弁２５は図３の実線位置に既に復帰しているため回動しない。
【００１９】
このように本実施形態例に係る弾球遊技機１では、遊技球が始動口１３，１４に入賞したことを契機に行われる抽選手段２８の抽選結果に応じて制御弁２５を切替動作し、抽選結果が大当たりの場合は遊技球（賞球）を全長の長い方のバイパス通路２４を経由して払出口９まで導き、抽選結果がハズレの場合は遊技球を全長の短い方のメイン通路２３を経由して払出口９まで導くようにしたので、大当たりの場合とハズレの場合とで遊技球（賞球）の払い出しに要する時間に違いを持たせることができる。これにより、遊技球が通常よりも著しく遅く払い出された場合は、特別図柄表示装置１２の図柄が大当たりを表示する特定図柄で停止する前に、払い出しタイミングによって暗に大当たりであることを示唆することができ、遊技球の払い出し時間を大当たりの告知手段として利用することができる。
【００２０】
なお、上記した第１実施形態例では、遊技球の払い出しタイミングによって大当たりを告知するようにしたが、例えば抽選手段２８で通常当たりと確変当たりおよびハズレを含む抽選を行い、その抽選結果が確変当たりの場合に、遊技球の払い出しを遅らせて当たり告知をするようにしても良い。
【００２１】
図６は本発明の第２実施形態例に係る弾球遊技機に設けられた排出通路の構成図、図７該弾球遊技機に備えられる駆動制御装置のブロック図であり、図１〜図５に対応する部分には同一符号を付してある。
【００２２】
図６に示すように、本実施形態例に係る弾球遊技機では、始動口１３，１４に入賞した遊技球を遊技盤４の裏面側へ導く排出通路のうち、始動口１４に連設された排出通路３０に、遊技盤４の裏面側に沿って上下方向へ真っ直ぐに延びるメイン通路３１と、メイン通路３１から分岐して九十九折り状に折れ曲がるバイパス通路３２とが設けられており、バイパス通路３２の全長はメイン通路３１の全長に対して十分に長く（例えば約２倍に）設定されている。メイン通路とバイパス通路の分岐部よりも上流側の排出通路３０には上流側検知センサ（入賞検知センサ）３３が配設されており、この上流側検知センサ３３が始動口１４に入賞した遊技球の通過を検知すると、その検知信号に基づいて前述した抽選手段２８が特別図柄表示の抽選を実行するようになっている。メイン通路３１とバイパス通路３２の分岐部には制御弁３４が配設されており、この制御弁３４を図示せぬソレノイドを駆動源として図６の実線位置と破線位置との間で回動することにより、始動口１４に入賞した遊技球はメイン通路３１とバイパス通路３２のいずれか一方へ導かれる。また、メイン通路３１とバイパス通路３２の合流部よりも下流側の排出通路３０には下流側検知センサ３５が配設されており、メイン通路３１またはバイパス通路３２を通過した遊技球は、この下流側検知センサ３５で検出された後に遊技盤４の裏面側へ排出される。
【００２３】
図７に示すように、抽選手段２８による抽選結果の制御信号と下流側検知センサ３５の検知信号は駆動制御装置３６に入力され、この下流側検知センサ３５の検知信号に基づいて駆動制御装置３６が前記払出装置２１の駆動源（モータ）に動作信号を出力することにより、払出装置２１のスプロケットが回転して所定個数の遊技球を払出通路に対して払い出すようになっている。なお、この第２実施形態例の場合、払出通路はメイン通路だけでバイパス通路を有していないため、払出装置２１から払出通路を経由して払出口９まで払い出される時間は常に一定である。
【００２４】
また、抽選手段２８の制御信号に基づいて駆動制御装置３６が制御弁３４の駆動源（ソレノイド）に所望の切替信号を出力することにより、制御弁３４は図６に示す実線位置と破線位置のいずれか一方に切替動作される。具体的には、抽選手段２８による特別図柄表示の抽選結果が大当たりの場合、駆動制御装置３６から制御弁３４に対して切替信号が出力されることにより、制御弁３４が図６の実線位置から破線位置へ回動してバイパス通路３２を開放する。その結果、始動口１４に入賞した遊技球は全長の長い方のバイパス通路３２を経由して遊技盤４の裏面側へ排出され、その途中で下流側検知センサ３５が遊技球の通過を検知すると、下流側検知センサ３５から駆動制御装置３６に検知信号が出力される。これにより駆動制御装置３６から払出装置２１に動作信号が出力されるため、払出装置２１から払出通路に所定個数の遊技球が払い出されると共に、駆動制御装置３６から制御弁３４に対して別の切替信号が出力されることにより、制御弁３４が図３の破線位置から実線位置へと回動復帰する。一方、抽選手段２８による特別図柄表示の抽選結果がハズレの場合、駆動制御装置３６から制御弁３４に対して切替信号は出力されず、制御弁３４は図６の実線位置の姿勢を維持する。この場合、メイン通路３１が開放されてバイパス通路３２が閉じられているため、始動口１４に入賞した遊技球は全長の短い方のメイン通路３１を経由して下流側検知センサ３５に至り、下流側検知センサ３５が遊技球の通過を検知すると、駆動制御装置３６の動作信号によって払出装置２１が作動して所定個数の遊技球を払い出す。
【００２５】
このように第２実施形態例に係る弾球遊技機では、遊技球が始動口１４に入賞したことを契機に行われる抽選手段２８の抽選結果に応じて制御弁３４を切替動作し、抽選結果が大当たりの場合は遊技球（賞球）を全長の長い方のバイパス通路３２を経由して下流側検知センサ３５まで導き、抽選結果がハズレの場合は遊技球を全長の短い方のメイン通路３１を経由して下流側検知センサ３５まで導くようにしたので、下流側検知センサ３５の検知信号に基づいて払出装置２１が遊技球の払い出し動作を開始するまでの時間、換言すると遊技球（賞球）の払い出しに要する時間を大当たりの場合とハズレの場合とで異ならせることができる。これにより、遊技球が通常よりも著しく遅く払い出された場合は、特別図柄表示装置１２の図柄が大当たりを表示する特定図柄で停止する前に、払い出しタイミングによって暗に大当たりであることを示唆することができ、遊技球の払い出し時間を大当たりの告知手段として利用することができる。
【００２６】
なお、上記した第２実施形態例では、遊技球の入賞によって抽選手段２８の抽選を行わせる２つの始動口１３，１４のうち、本発明を一方の始動口１４の排出通路３０に適用した場合について説明したが、本発明を始動口１４の代わりに他方の始動口１３の排出通路に適用したり、始動口１３，１４の両方に適用することも可能である。また、遊技球の入賞によって抽選手段２８の抽選を行わせる始動口１３，１４の数は２つに限定されず、少なくとも１つの始動口を備えていれば良い。
【００２７】
また、この第２実施形態例においても第１実施形態例と同様に、抽選手段２８で通常当たりと確変当たりおよびハズレを含む抽選を行い、その抽選結果が確変当たりの場合に、遊技球の払い出しを遅らせて当たり告知をするようにしても良い。
【００２８】
また、上記した各実施形態例では、抽選手段２８の抽選結果が大当たりの場合は全長の長い方のバイパス通路を開放し、抽選結果がハズレの場合は全長の短い方のメイン通路を開放するようにしているが、その逆に、抽選結果が大当たりの場合にメイン通路を開放し、抽選結果がハズレの場合にバイパス通路を開放するようにしても良い。
【図面の簡単な説明】
【００２９】
【図１】本発明の第１実施形態例に係る弾球遊技機の外観を示す斜視図である。
【図２】該弾球遊技機の背面側の外観を示す斜視図である。
【図３】該弾球遊技機に設けられた払出通路の構成図である。
【図４】該弾球遊技機に備えられる払出制御装置のブロック図である。
【図５】該払出制御装置の制御内容を示すフローチャートである。
【図６】本発明の第２実施形態例に係る弾球遊技機に設けられた排出通路の構成図である。
【図７】該弾球遊技機に備えられる駆動制御装置のブロック図である。
【符号の説明】
【００３０】
１  弾球遊技機
４  遊技盤
８  受け皿
９  払出口
１１  遊技領域
１２  特別図柄表示装置
１３，１４  始動口
１９  貯留タンク
２０  流下樋
２１  払出装置
２２  払出通路
２３  メイン通路
２４  バイパス通路
２５  制御弁
２６  払出球検知センサ
２７  払出制御装置
２８  抽選手段
３０  排出通路
３１  メイン通路
３２  バイパス通路
３３  上流側検知センサ
３４  制御弁
３５  下流側検知センサ
３６  駆動制御装置
【図１】
2010022528.tif 000003
【図２】
2010022528.tif 000004
【図３】
2010022528.tif 000005
【図４】
2010022528.tif 000006
【図５】
2010022528.tif 000007
【図６】
2010022528.tif 000008
【図７】
2010022528.tif 000009